(57)【特許請求の範囲】
【請求項１】
内部で電気機器が組立られ、組み立てられた電気機器の搬出口となる取り外し可能な可動側壁を有する組立室と、
前記組立室に隣接して設けられ、電気機器の構成部品を搬入するための開閉部を前記組立室とは反対側の正面側壁に有して該構成部品が内部に保管される前室と、
前記開閉部を通過して前記前室および前記組立室に前記構成部品を搬入するための直線状の搬送路と
を備え、
前記可動側壁は、前記組立室の側壁のうちの前記前室と隣接して互いに対向している対向側壁の一方であり、
電気機器は、前記組立室内の前記搬送路上で組み立てられ、
前記搬送路は、前記組立室の中央より前記可動側壁側に偏って位置し、
前記開閉部は、前記搬送路が前記開閉部を通過するように前記正面側壁において偏って位置している、電気機器の現地組立ハウス。
【請求項２】
前記組立室においては、前記対向側壁のいずれか一方を選択的に前記可動側壁とすることができ、
前記前室においては、前記開閉部を前記正面側壁の前記可動側壁側に選択的に配設可能である、請求項１に記載の電気機器の現地組立ハウス。
【請求項３】
前記組立室および前記前室の各々は、骨格部と該骨格部に取り付けられて隣接する骨格部同士の間を塞ぐ複数のパネルとを含み、
前記組立室および前記前室の側壁は、前記複数のパネルで構成されている、請求項１または２に記載の電気機器の現地組立ハウス。
【請求項４】
前記複数のパネルは、前記組立室において前記対向側壁となる２つの対向パネルと、該対向パネルのうちの一方で前記可動側壁となる可動パネルと、前記前室において前記正面側壁となる正面パネルとを含み、
前記可動パネルは、前記骨格部に着脱可能に取り付けられ、
前記正面パネルは、前記開閉部が設けられる位置に開口を有し、
前記２つの対向パネルは、互いに入れ替えて前記骨格部に取り付け可能であり、
前記正面パネルは、表裏反転させて前記骨格部に取り付け可能である、請求項３に記載の電気機器の現地組立ハウス。
【請求項５】
前記開閉部は、前記正面側壁に沿う方向に移動する複数の扉部材を含み、
前記開閉部が開いた状態において前記正面側壁の前記可動側壁側の端部から前記扉部材の一部が突き出さないように、前記複数の扉部材が組み合わされて前記開閉部が構成されている、請求項１から４のいずれかに記載の電気機器の現地組立ハウス。
【請求項６】
前記組立室と前記前室との境界に、前記組立室と前記前室との間を開閉可能に仕切る間仕切部をさらに備え、
前記間仕切部は、前記境界に沿う方向に開閉する複数のカーテン状部材を含み、
前記複数のカーテン状部材は、前記搬送路上に位置する第１カーテン状部材と、前記搬送路と前記可動側壁との間に位置する第２カーテン状部材と、前記搬送路と前記可動側壁ではない方の前記対向側壁との間に位置する第３カーテン状部材とから構成される、請求項１から５のいずれかに記載の電気機器の現地組立ハウス。
【請求項７】
前記複数のカーテン状部材が前記境界内において移設可能に取り付けられており、
前記間仕切部において、前記第２カーテン状部材と前記第３カーテン状部材とは互いに入れ替えて配設可能にされ、前記第１カーテン状部材は前記第２カーテン状部材と前記第３カーテン状部材との間に配設可能にされている、請求項６に記載の電気機器の現地組立ハウス。
【発明の詳細な説明】
【技術分野】
【０００１】
本発明は、電気機器の現地組立ハウスに関し、特に、分解輸送されて現地で組み立てられる電気機器の現地組立ハウスに関する。
【背景技術】
【０００２】
電気機器の現地組立ハウスの構成を開示した先行文献として、特開平１１−７４１２８号公報(特許文献１)がある。特開平１１−７４１２８号公報(特許文献１)に記載された電気機器の現地組立ハウスは、床上に所定の間隔で設置された一対の支柱とこれらの両支柱の各上端に両側が連結された梁とを有する第１〜第３の骨組と、第１〜第３の骨組を囲むように取り付けられた複数の板材からなるパネルユニットと、第２の骨組に取り付けられて前室と組立室とを区画する間仕切りと、第１〜第３の骨組上に伸縮可能に取り付けられて両室の上方を開閉する骨組材と防水シートとから形成された屋根とを備える。
【先行技術文献】
【特許文献】
【０００３】
【特許文献１】特開平１１−７４１２８号公報
【発明の概要】
【発明が解決しようとする課題】
【０００４】
電気機器の構成部品は前室に搬入され、組み立てられた電気機器は組立室の搬出口から搬出される。電気機器は重量物であるため、組立室内において搬出口から離れた位置で電気機器が組み立てられた場合、組立室から電気機器を搬出する際の作業負荷が大きくなる。
【０００５】
従来の電気機器の現地組立ハウスにおいては、組立室の中央で電気機器が組み立てられていたため、電気機器を組立室から搬出する作業の負荷が大きかった。
【０００６】
本発明は上記の問題点に鑑みてなされたものであって、電気機器の構成部品および組み立てられた電気機器の搬送経路を短くして搬送作業の負荷を軽減できる、電気機器の現地組立ハウスを提供することを目的とする。
【課題を解決するための手段】
【０００７】
本発明に基づく電気機器の現地組立ハウスは、内部で電気機器が組立られ、組み立てられた電気機器の搬出口となる取り外し可能な可動側壁を有する組立室と、組立室に隣接して設けられ、電気機器の構成部品を搬入するための開閉部を組立室とは反対側の正面側壁に有してこの構成部品が内部に保管される前室と、開閉部を通過して前室および組立室に構成部品を搬入するための直線状の搬送路とを備える。可動側壁は、組立室の側壁のうちの前室と隣接して互いに対向している対向側壁の一方である。電気機器は、組立室内の搬送路上で組み立てられる。搬送路は、組立室の中央より可動側壁側に偏って位置している。開閉部は、搬送路が開閉部を通過するように正面側壁において偏って位置している。
【発明の効果】
【０００８】
本発明によれば、電気機器の構成部品および組み立てられた電気機器の搬送経路を短くして搬送作業の負荷を軽減できる。
【図面の簡単な説明】
【０００９】
【図１】本発明の一実施形態に係る電気機器の現地組立ハウスの外観を示す斜視図である。
【図２】同実施形態に係る電気機器の現地組立ハウスの構成を示す側面図である。
【図３】同実施形態に係る電気機器の現地組立ハウスの構成を示す上面図である。
【図４】同実施形態に係る電気機器の現地組立ハウスにおいて、可動側壁が取り外された状態を示す上面図である。
【図５】同実施形態に係る電気機器の現地組立ハウスにおいて、可動側壁の配置を入れ替えた状態を示す上面図である。
【図６】同実施形態に係る電気機器の現地組立ハウスにおいて、配置を入れ替えた可動側壁が取り外された状態を示す上面図である。
【図７】同実施形態に係る開閉部が閉まっている状態を示す正面図である。
【図８】同実施形態に係る開閉部が閉まっている状態を示す上面図である。
【図９】同実施形態に係る開閉部が開いている状態を示す正面図である。
【図１０】同実施形態に係る開閉部が開いている状態を示す上面図である。
【図１１】対向側壁１１３が可動側壁である際の間仕切部１３０の構成を示す正面図である。
【図１２】対向側壁１１２が可動側壁である際の間仕切部１３０の構成を示す正面図である。
【発明を実施するための形態】
【００１０】
以下、本発明の一実施形態に係る電気機器の現地組立ハウスについて図面を参照して説明する。以下の実施形態の説明においては、図中の同一または相当部分には同一符号を付して、その説明は繰り返さない。
【００１１】
本実施形態においては、電気機器として変圧器の組み立てに用いられる現地組立ハウスについて説明するが、電気機器としては変圧器に限られず、分解して搬送されて現地で組立られる電気機器が含まれる。
【００１２】
図１は、本発明の一実施形態に係る電気機器の現地組立ハウスの外観を示す斜視図である。図１に示すように、本発明の一実施形態に係る電気機器の現地組立ハウス１００においては、内部で電気機器が組み立てられる組立室１１０に隣接して、コイル、鉄心およびタンクなどの電気機器の構成部品が内部に保管される前室１２０が設けられている。
【００１３】
組立室１１０は、前室１２０との境界を除いて組立室１１０の周囲を囲む側壁と、側壁の上方に設けられた天井１１１とを含む。組立室１１０の側壁は、前室１２０と隣接して互いに対向している対向側壁１１２，１１３と、対向側壁１１２，１１３同士の間に位置する背面側壁１１４とから構成されている。本実施形態においては、対向側壁１１２および対向側壁１１３のいずれか一方が、組み立てられた電気機器の搬出口となる取り外し可能な可動側壁である。まず、対向側壁１１３が可動側壁である場合について説明する。
【００１４】
前室１２０は、組立室１１０との境界を除いて前室１２０の周囲を囲む側壁と、側壁の上方に設けられた天井１２１とを含む。前室１２０の側壁は、組立室１１０と隣接して互いに対向している側壁１２２，１２３と、側壁１２２，１２３同士の間に位置する正面側壁１２４とから構成されている。正面側壁１２４には、電気機器の構成部品を搬入するための開閉部１５０が設けられている。
【００１５】
組立室１１０と前室１２０との境界に、組立室１１０と前室１２０との間を開閉可能に仕切る間仕切部１３０が設けられている。
【００１６】
電気機器の現地組立ハウス１００は、開閉部１５０を通過して前室１２０および組立室１１０に電気機器の構成部品を搬入するための直線状の搬送路１４０を備えている。搬送路１４０は、前室１２０の外部から前室１２０を貫通して組立室１１０の内部まで連続して設けられている。
【００１７】
図２は、本実施形態に係る電気機器の現地組立ハウスの構成を示す側面図である。図３は、本実施形態に係る電気機器の現地組立ハウスの構成を示す上面図である。なお、図２においては、対向側壁１１２および側壁１２２の内側から電気機器の現地組立ハウス１００の内部を見た図を示している。図３においては、天井１１１および天井１２１の内側から電気機器の現地組立ハウス１００の内部を見た図を示している。
【００１８】
図２，３に示すように、組立室１１０は、骨格部となる４本の柱１１５と、隣接する柱１１５同士の間を塞ぐ３つのパネルとを含む。具体的には、対向側壁１１２，１１３となる２つの対向パネルおよび背面側壁１１４となるパネルのそれぞれが、２本の柱１１５に取り付けられている。
【００１９】
対向側壁１１２，１１３となる２つの対向パネルは、互いに入れ替えて骨格部に取り付け可能である。可動側壁である対向側壁１１３となる対向パネルは、２本の柱１１５に着脱可能に取り付けられた可動パネルである。
【００２０】
搬送路１４０は、互いに平行な第１線状部１４１と第２線状部１４２とから構成されている。搬送路１４０上を電気機器の構成部品を搬送するリフトなどが移動する。電気機器は、組立室１１０内の搬送路１４０上で組み立てられる。
【００２１】
搬送路１４０は、図３において一点鎖線２０で示す組立室１１０の中央より可動側壁である対向側壁１１３側に偏って位置している。図３においては、第１線状部１４１と第２線状部１４２との中間位置である搬送路１４０の中央を二点鎖線３０で示している。組立室１１０の中央と搬送路１４０の中央とは、距離Ｌ0だけ離れている。
【００２２】
前室１２０は、骨格部となる２本の柱１２５、柱１２６および柱１２７を含む。また、前室１２０は、組立室１１０との境界に位置する２本の柱１１５と２本の柱１２５とからなる４本の柱のうちの隣接する柱同士の間を塞ぐ３つのパネルを含む。
【００２３】
具体的には、側壁１２２，１２３となる２つのパネルおよび正面側壁１２４となる正面パネルのそれぞれが、２本の柱に取り付けられている。正面パネルは、開閉部１５０が設けられる位置に開口を有する。正面パネルは、表裏反転させて２本の柱１２５に取り付け可能である。
【００２４】
柱１２６は、正面パネルの開口の対向側壁１１２側の縁に沿うように位置している。柱１２７は、正面パネルの開口の対向側壁１１３側の縁に沿うように位置している。柱１２６および柱１２７のそれぞれは、２本の柱１２５の一方と連結されている。柱１２５と柱１２６とが連結された第１連結体１６０と、柱１２５と柱１２７とが連結された第２連結体１６１とは、互いに入れ替えて設置可能である。
【００２５】
本実施形態においては、前室１２０の中央と組立室１１０の中央とが一点鎖線２０上に位置している。すなわち、搬送路１４０は、前室１２０の中央に対して距離Ｌ0だけ偏って位置している。そのため、開閉部１５０は、搬送路１４０が開閉部１５０を通過するように正面側壁１２４において偏って位置している。
【００２６】
開閉部１５０は、正面側壁１２４に沿う方向に移動する複数の扉部材を含む。具体的には、開閉部１５０は、柱１２６側から柱１２７側に向かって順に並ぶ第１扉部材１５１、第２扉部材１５２、第３扉部材１５３、第４扉部材１５４とから構成される。
【００２７】
開閉部１５０が閉まった状態において、第１扉部材１５１の側壁１２２側の端面と側壁１２２の外表面との距離Ｌ1は、第４扉部材１５４の側壁１２３側の端面と側壁１２３の外表面との距離Ｌ2よりＬ0だけ長い。すなわち、開閉部１５０は、搬送路１４０の前室１２０に対する位置の偏りに合わせて前室１２０に対して偏って位置している。
【００２８】
図１，２に示すように、組立室１１０と前室１２０との境界に位置する２本の柱１１５の上端同士を橋渡しするように梁１１６が配置されている。梁１１６の下方に間仕切部１３０が設けられている。間仕切部１３０は、梁１１６の延在方向に沿って開閉する複数のカーテン状部材を含む。言い換えると、間仕切部１３０は、組立室１１０と前室１２０との境界に沿う方向に開閉する複数のカーテン状部材を含む。
【００２９】
図３，４に示すように、複数のカーテン状部材は、搬送路１４０上に位置する第１カーテン状部材１３１，１３２と、搬送路１４０と可動側壁である対向側壁１１３との間に位置する第２カーテン状部材１３３と、搬送路１４０と可動側壁ではない方の対向側壁１１２との間に位置する第３カーテン状部材１３４とから構成される。
【００３０】
本実施形態においては、４つのカーテン状部材が配設されているが、カーテン状部材の数は３つ以上であればよい。カーテン状部材の上部には、梁１１６の下面に設けられた図示しないレール上を転がるローラが所定の間隔を置いて取り付けられている。カーテン状部材は、レールに対して着脱可能に取り付けられている。
【００３１】
以下、本実施形態に係る電気機器の現地組立ハウス１００において、変圧器１０が組み立てられて組立室１１０外に搬出されるまでについて説明する。
【００３２】
前室１２０の開閉部１５０の前にトラックなどで搬送されてきた変圧器１０の構成部品は、開閉部１５０の前に待機している搬送路１４０上を移動するリフトに持ち上げられる。その後、開閉部１５０が開いてリフトが前室１２０内に移動し、変圧器１０の構成部品を前室１２０内に配置する。このようにして前室１２０内には、変圧器１０の構成部品が搬入されて保管される。
【００３３】
次に、組立室１１０内で変圧器１０を組み立てるために、前室１２０内に保管されていた変圧器１０の構成部品が再びリフトに持ち上げられる。その後、間仕切部１３０の第１カーテン状部材１３１，１３２が開いて、リフトが組立室１１０内に移動し、変圧器１０の構成部品を組立室１１０内に配置する。図３においては、変圧器１０の構成部品である鉄心ブロック１１を例示的に図示している。
【００３４】
リフトによる変圧器１０の構成部品の搬送径路を短くするために、変圧器１０は搬送路１４０上で組み立てられる。たとえば、鉄心ブロック１１は、図中の矢印４０で示す方向に組み込まれる。順次、前室１２０から組立室１１０内に変圧器１０の構成部品が搬入されて組み立てられることにより、変圧器１０が完成する。
【００３５】
図４は、本実施形態に係る電気機器の現地組立ハウスにおいて、可動側壁が取り外された状態を示す上面図である。図４においては、天井１１１および天井１２１の内側から電気機器の現地組立ハウス１００の内部を見た図を示している。
【００３６】
図４に示すように、組立室１１０内で変圧器１０の組み立てが完成した後、可動側壁である対向側壁１１３が取り外される。具体的には、２本の柱１１５から可動パネルが脱着される。次に、組立室１１０内から変圧器１０が図中の矢印５０で示す方向に搬出される。
【００３７】
搬送路１４０は可動側壁である対向側壁１１３側に偏って位置しているため、搬送路１４０上で組み立てられた変圧器１０は対向側壁１１３に近接している。そのため、変圧器１０を組立室１１０から搬出する際の搬送径路が短くなる。
【００３８】
上記のように、変圧器１０の構成部品および組み立てられた変圧器１０の搬送径路を短くすることにより、搬送作業の負荷を軽減できる。
【００３９】
本実施形態の電気機器の現地組立ハウス１００は、上述の通り、対向側壁１１２，１１３となる２つの対向パネルは、互いに入れ替えて骨格部に取り付け可能である。すなわち、組立室１１０においては、対向側壁１１２，１１３のいずれか一方を選択的に前記可動側壁とすることができる。
【００４０】
また、柱１２５と柱１２６とが連結された第１連結体１６０と、柱１２５と柱１２７とが連結された第２連結体１６１とは、互いに入れ替えて設置可能である。さらに、正面パネルは表裏反転させて２本の柱１２５に取り付け可能である。すなわち、前室１２０においては、開閉部１５０を正面側壁１２４の可動側壁側に選択的に配設可能である。
【００４１】
電気機器の現地組立ハウス１００が配設される周囲の状況により、組立室１１０から組み立てられた変圧器１０を対向側壁１１２側から搬出しなければならない場合がある。その場合、対向側壁１１２を可動側壁とする。具体的には、対向パネルを互いに入れ替えて骨格部に取り付ける。また、第１連結体１６０と第２連結体１６１とを互いに入れ替えて設置する。さらに、正面パネルを表裏反転させる。
【００４２】
図５は、本実施形態に係る電気機器の現地組立ハウスにおいて、可動側壁の配置を入れ替えた状態を示す上面図である。図６は、本実施形態に係る電気機器の現地組立ハウスにおいて、配置を入れ替えた可動側壁が取り外された状態を示す上面図である。図５，６においては、天井１１１および天井１２１の内側から電気機器の現地組立ハウス１００の内部を見た図を示している。
【００４３】
図５に示すように、搬送路１４０は、組立室１１０の中央に対して距離Ｌ0だけ対向側壁１１２側に偏って位置している。搬送路１４０は、前室１２０の中央に対して距離Ｌ0だけ側壁１２２側に偏って位置している。
【００４４】
開閉部１５０は、搬送路１４０が開閉部１５０を通過するように正面側壁１２４において偏って位置している。具体的には、開閉部１５０が閉まった状態において、第１扉部材１５１の側壁１２２側の端面と側壁１２２の外表面との距離Ｌ1は、第４扉部材１５４の側壁１２３側の端面と側壁１２３の外表面との距離Ｌ2よりＬ0だけ短い。すなわち、開閉部１５０は、搬送路１４０の前室１２０に対する位置の偏りに合わせて前室１２０に対して偏って位置している。
【００４５】
間仕切部１３０においては、第１カーテン状部材１３１，１３２が搬送路１４０上に位置するように移設され、第２カーテン状部材１３３と第３カーテン状部材１３４とが互いに入れ替えられている。
【００４６】
リフトによる変圧器１０の構成部品の搬送径路を短くするために、変圧器１０は搬送路１４０上で組み立てられる。たとえば、鉄心ブロック１１は、図中の矢印４１で示す方向に組み込まれる。順次、前室１２０から組立室１１０内に変圧器１０の構成部品は搬入されて組み立てられることにより、変圧器１０が完成する。
【００４７】
図６に示すように、組立室１１０内で変圧器１０の組み立てが完成した後、可動側壁である対向側壁１１２が取り外される。具体的には、２本の柱１１５から可動パネルが脱着される。次に、組立室１１０内から変圧器１０が図中の矢印５１で示す方向に搬出される。
【００４８】
搬送路１４０は可動側壁である対向側壁１１２側に偏って位置しているため、搬送路１４０上で組み立てられた変圧器１０は対向側壁１１２に近接している。そのため、変圧器１０を組立室１１０から搬出する際の搬送径路が短くなる。
【００４９】
上記のように可動側壁を入れ替えて変圧器１０の搬出方向を逆にした場合にも、変圧器１０の構成部品および組み立てられた変圧器１０の搬送径路を短くすることにより、搬送作業の負荷を軽減できる。
【００５０】
以下、本実施形態に係る電気機器の現地組立ハウス１００の開閉部１５０について詳細に説明する。
【００５１】
図７は、本実施形態に係る開閉部が閉まっている状態を示す正面図である。図８は、本実施形態に係る開閉部が閉まっている状態を示す上面図である。図９は、本実施形態に係る開閉部が開いている状態を示す正面図である。図１０は、本実施形態に係る開閉部が開いている状態を示す上面図である。
【００５２】
図７，８に示すように、開閉部１５０は、第１扉部材１５１と第４扉部材１５４とが正面側壁１２４に沿うように互いに所定の間隔を置いて配置されている。第２扉部材１５２は、第１扉部材１５１に沿うように配置されている。第３扉部材１５３は、第４扉部材１５４に沿うように配置されている。
【００５３】
第１から第４扉部材１５１〜１５４のそれぞれは、正面側壁１２４に沿う方向に移動可能に設けられている。第２扉部材１５２と第３扉部材１５３との対向面同士が接することにより、開閉部１５０が閉じた状態になる。
【００５４】
上述の通り、開閉部１５０が閉まった状態において、第１扉部材１５１の側壁１２２側の端面と側壁１２２の外表面との距離Ｌ1は、第４扉部材１５４の側壁１２３側の端面と側壁１２３の外表面との距離Ｌ2よりＬ0だけ長い。すなわち、第４扉部材１５４の側壁１２３側の端面と側壁１２３の外表面との間の間隔は、搬送路１４０が偏って位置している分だけ短くなっている。
【００５５】
図９，１０に示すように、開閉部１５０は、開閉部１５０が開いた状態において正面側壁１２４の側壁１２３側の端部から第３扉部材１５３および第４扉部材１５４の一部が突き出さないように、４つの扉部材が組み合わされて構成されている。
【００５６】
具体的には、開閉部１５０が開いた状態において、第１扉部材１５１の第４扉部材１５４と対向する対向面が正面側壁１２４の開口の縁に沿うようになるまで、第１扉部材１５１が移動する。第２扉部材１５２の第３扉部材１５３と対向する対向面が正面側壁１２４の開口の縁に沿うようになるまで、第２扉部材１５２が移動する。
【００５７】
第３扉部材１５３の第２扉部材１５２と対向する対向面が正面側壁１２４の開口の縁に沿うようになるまで、第３扉部材１５３が移動する。第４扉部材１５４の第１扉部材１５１と対向する対向面が正面側壁１２４の開口の縁に沿うようになるまで、第４扉部材１５４が移動する。
【００５８】
このように開閉部１５０が開いた状態において、第４扉部材１５４の側壁１２３側の端面が側壁１２３の外表面から突き出さないように、第１から第４扉部材１５１〜１５４の幅が設定されている。
【００５９】
開閉部１５０を第１から第４扉部材１５１〜１５４で構成することにより、側壁１２３の外側に空きスペースがない場合においても、開閉部１５０の開閉が可能となり、変圧器１０の構成部品を搬入できる。
【００６０】
以下、本実施形態に係る電気機器の現地組立ハウス１００の間仕切部１３０について詳細に説明する。
【００６１】
図１１は、対向側壁１１３が可動側壁である際の間仕切部１３０の構成を示す正面図である。図１２は、対向側壁１１２が可動側壁である際の間仕切部１３０の構成を示す正面図である。
【００６２】
図１１に示すように、対向側壁１１３が可動側壁である際には、搬送路１４０は対向側壁１１３側に偏って位置している。そのため、第２カーテン状部材１３３は幅が狭く形成され、第３カーテン状部材１３４は幅が広く形成されている。
【００６３】
組立室１１０内に変圧器１０の構成部品が搬入される際には、第１カーテン状部材１３１が図中の矢印１３５で示す方向に開き、第１カーテン状部材１３２が図中の矢印１３６で示す方向に開く。
【００６４】
対向側壁１１３側の近傍で組立室１１０に出入する際には、第２カーテン状部材１３３は図中の矢印１３７で示す方向に開く。対向側壁１１２側の近傍で組立室１１０に出入する際には、第３カーテン状部材１３４は図中の矢印１３８で示す方向に開く。
【００６５】
上記のように間仕切部１３０を複数のカーテン状部材で構成することにより、組立室１１０に出入する際に間仕切部１３０が開放される面積を低減して、空気清浄度の低い前室１２０内の空気が空気清浄度の高い組立室１１０内に浸入する量を低減することができる。
【００６６】
図１２に示すように、対向側壁１１２が可動側壁である際には、搬送路１４０は対向側壁１１２側に偏って位置している。そのため、幅の狭い第２カーテン状部材１３３が対向側壁１１２側に配設され、幅の広い第３カーテン状部材１３４が対向側壁１１３側に配設される。すなわち、図１１に示した状態から、第２カーテン状部材１３３と第３カーテン状部材１３４とが互いに入れ替えて配設されている。
【００６７】
第１カーテン状部材１３１，１３２は、第２カーテン状部材１３３と第３カーテン状部材１３４との間に配設される。具体的には、第１カーテン状部材１３１，１３２は、距離２Ｌ0だけ対向側壁１１２側に移設されている。
【００６８】
組立室１１０内に変圧器１０の構成部品が搬入される際には、第１カーテン状部材１３１が図中の矢印１３５で示す方向に開き、第１カーテン状部材１３２が図中の矢印１３６で示す方向に開く。
【００６９】
対向側壁１１３側の近傍で組立室１１０に出入する際には、第３カーテン状部材１３４は図中の矢印１３７で示す方向に開く。対向側壁１１２側の近傍で組立室１１０に出入する際には、第２カーテン状部材１３３は図中の矢印１３８で示す方向に開く。
【００７０】
このように、複数のカーテン状部材が組立室１１０と前室１２０との境界内において移設可能に取り付けられることにより、搬送路１４０の位置変更に対応して複数のカーテン状部材の配置構成を変更することができる。その結果、搬送路１４０の位置を変更した場合にも、組立室１１０に出入する際に間仕切部１３０が開放される面積を低減して、空気清浄度の低い前室１２０内の空気が空気清浄度の高い組立室１１０内に浸入する量を低減することができる。
【００７１】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００７２】
１０  変圧器、１１  鉄心ブロック、１００  現地組立ハウス、１１０  組立室、１１１，１２１  天井、１１２，１１３  対向側壁、１１４  背面側壁、１１５，１２５，１２６，１２７  柱、１１６  梁、１２０  前室、１２２，１２３  側壁、１２４  正面側壁、１３０  間仕切部、１３１，１３２  第１カーテン状部材、１３３  第２カーテン状部材、１３４  第３カーテン状部材、１４０  搬送路、１４１  第１線状部、１４２  第２線状部、１５０  開閉部、１５１  第１扉部材、１５２  第２扉部材、１５３  第３扉部材、１５４  第４扉部材、１６０  第１連結体、１６１  第２連結体。
【図１】
0005676357.tif 000002
【図２】
0005676357.tif 000003
【図３】
0005676357.tif 000004
【図４】
0005676357.tif 000005
【図５】
0005676357.tif 000006
【図６】
0005676357.tif 000007
【図７】
0005676357.tif 000008
【図８】
0005676357.tif 000009
【図９】
0005676357.tif 000010
【図１０】
0005676357.tif 000011
【図１１】
0005676357.tif 000012
【図１２】
0005676357.tif 000013